(57)【要約】【課題】扁平状（略長方形）の容器であっても、ゴムシールが片当たりせず、強力な密封性が得られる密封容器を提供する。【解決手段】容器本体１の上部開口に装着される蓋部２を備え、蓋部２が、上蓋４と、ゴムシール６を側面に装着すると共に、レバー５の基端部を回動自在に支持した中蓋３とを有し、容器本体１に蓋部２を取り付けた後、レバー５を倒すことで、中蓋３が外蓋４側に引き上げられ、外蓋４に形成された内側板の先端がゴムシールの６先端近傍を下方側へ押し込み、押し込みによりゴムシール６が拡径し、密封力を高める密封容器１０であって、中蓋３の上面に、ズレ防止用の起立部３３を形成した。【選択図】図１
0003208761.tif 000002
【実用新案登録請求の範囲】
【請求項１】
平面視が略長方形の上部開口を有する容器本体（Ａ）と、該容器本体の上部開口に装着される蓋部（Ｂ）を備え、
該蓋部（Ｂ）は、レバー側軸支部を有するレバー（ｂ１）と、
該容器本体の上端縁部と当接する当接面部を有する上方蓋部と、該当接面部より内側で且つ該上方蓋部の裏面から下方に延出する環状の内側板と、該レバー側軸支部と軸嵌合する中蓋側軸支部が通る貫通穴とを備える上蓋（ｂ２）と、
表面の中央で起立する中蓋側軸支部と、ゴムシールが嵌る側面溝と、表面から上方に起立するズレ防止用の起立部を有する中蓋（ｂ３）と、該中蓋の側面溝に嵌る環状のゴムシール（ｂ４）とを有し、
レバーを起立させた状態において、該起立部の先端と該上蓋の底面とは離間しており、
該レバーを倒すことで、該中蓋が該上蓋側に引き上げられ、該内側板の先端が該ゴムシールの先端近傍を下方側へ押し込み、該押し込みによりゴムシールが拡径することを特徴とする密封容器。
【請求項２】
該レバーを倒した密封状態において、該起立部の先端と該上蓋の底面とは当接状態又は非接触状態であることを特徴とする請求項１記載の密封容器。
【請求項３】
該レバー側軸支部は、側方に突出する軸又は軸穴を有する基枠体を有し、該基枠体の該レバーの起立状態における該軸又は軸穴の中心から上下方向における端までの長さｌ１は、該レバーの倒伏状態における該軸又は軸穴の中心から上下方向における端までの長さｌ２より小であることを特徴とする請求項１又は２記載の密封容器。
【請求項４】
該上蓋の中央貫通穴近傍に、該レバーの基枠体の先端が当接するレバー端当接面を有することを特徴とする請求項１〜３のいずれか１項に記載の密封容器。
【請求項５】
該ゴムシールは、環状体であって、内側の装着部と、該装着部の外周端より斜め上方に傾斜状に延びる傾斜部とを有することを特徴とする請求項１〜４のいずれか１項に記載の密封容器。
【請求項６】
該上部開口の略長方形は、角が丸みのもの又は長方形を形成する辺部が湾曲するものであることを特徴とする請求項１〜５のいずれか１項に記載の密封容器。
【請求項７】
該レバーを起立させた状態において、該起立部の先端と該上蓋の底面とは、２ｍｍ〜６ｍｍ離間していることを特徴とする請求項１〜６のいずれか１項に記載の密封容器。
【請求項８】
該レバーを倒伏させた状態において、該起立部の先端と該上蓋の底面とは、０．１〜０．８ｍｍ離間していることを特徴とする請求項１〜７のいずれか１項に記載の密封容器。 
【考案の詳細な説明】
【技術分野】
【０００１】
本考案は、食材等の内容物の長期保存に適したもので、開口が扁平状の容器であっても、ズレのない強力なシールが得られる密封容器に関するものである。
【背景技術】
【０００２】
食材等の内容物の長期保存に適し、レバーの倒伏のみで強力なシールが得られる円筒状の密封容器が知られている。この密封容器は、容器本体の上部開口に装着される蓋部を備え、該蓋部が、上蓋と、ゴムシールを側面に装着すると共に、レバーの基端部を回動自在に支持した中蓋とを有し、容器本体に蓋部を取り付けた後、レバーを倒すことで、中蓋が外蓋側に引き上げられ、外蓋に形成された内側板の先端がゴムシールの先端近傍を下方側へ押し込み、該押し込みによりゴムシールが拡径し、密封力を高めるというものである。このような密封容器は、蓋部もゴムシールも円形であるため、容器本体に蓋部を装着する際、シール性に影響するようなズレが生じることは少ない。
【０００３】
近年、台所用品においても、意匠性に優れたものが求められている。密封容器においても、扁平状容器であれば、横並びの収納が効率的に行なえ、都合がよい。そこで、これまで円筒状の密封容器に使用されてきた、上記レバーの起立や倒伏によるワンタッチ操作でシール性に優れたものの開発が望まれていた。
【考案の開示】
【考案が解決しようとする課題】
【０００４】
しかしながら、これまで円筒状の密封容器に使用されてきた、上記レバーの起立と倒伏によるワンタッチ操作のものを、扁平状の容器に適用すると、長手方向と短手方向が存在するため、容器本体に蓋部を装着する際、長手方向にズレが生じる。このズレた状態でレバーを倒伏しても、容器内壁にゴムシールが片当たりし、十分な密封効果が得られないという問題があった。従って、扁平状（略長方形）の容器であっても、ゴムシールが片当たりせず、強力なシールが得られる容器の開発が待たれていた。
【０００５】
従って、本考案の目的は、扁平状（略長方形）の容器であっても、ゴムシールが片当たりせず、強力な密封性が得られる密封容器を提供することにある。
【課題を解決するための手段】
【０００６】
従って、本考案は上記従来の課題を解決するものであって、平面視が略長方形の上部開口を有する容器本体（Ａ）と、該容器本体の上部開口に装着される蓋部（Ｂ）を備え、
該蓋部（Ｂ）は、レバー側軸支部を有するレバー（ｂ１）と、
該容器本体の上端縁部と当接する当接面部を有する上方蓋部と、該当接面部より内側で且つ該上方蓋部の裏面から下方に延出する環状の内側板と、該レバー側軸支部と軸嵌合する中蓋側軸支部が通る貫通穴とを備える上蓋（ｂ２）と、
表面の中央で起立する中蓋側軸支部と、ゴムシールが嵌る側面溝と、表面から上方に起立するズレ防止用の起立部を有する中蓋（ｂ３）と、該中蓋の側面溝に嵌る環状のゴムシール（ｂ４）とを有し、
レバーを起立させた状態において、該起立部の先端と該上蓋の底面とは離間しており、
該レバーを倒すことで、該中蓋が該上蓋側に引き上げられ、該内側板の先端が該ゴムシールの先端近傍を下方側へ押し込み、該押し込みによりゴムシールが拡径することを特徴とする密封容器を提供するものである。  
【０００７】
また、本考案は、該レバーを倒した密封状態において、該起立部の先端と該上蓋の底面とは当接状態又は非接触状態であることを特徴とする前記密封容器を提供するものである。
【０００８】
また、本考案は、該レバー側軸支部は、側方に突出する軸又は軸穴を有する基枠体を有し、該基枠体の該レバーの起立状態における該軸又は軸穴の中心から上下方向における端までの長さｌ１は、該レバーの倒伏状態における該軸又は軸穴の中心から上下方向における端までの長さｌ２より小であることを特徴とする前記密封容器を提供するものである。
【０００９】
また、本考案は、該上蓋の中央貫通穴近傍に、該レバーの基枠体の先端が当接するレバー端当接面を有することを特徴とする前記密封容器を提供するものである。
【００１０】
また、本考案は、該ゴムシールは、環状体であって、内側の装着部と、該装着部の外周端より斜め上方に傾斜状に延びる傾斜部とを有することを特徴とする前記密封容器を提供するものである。
【００１１】
また、本考案は、該上部開口の略長方形は、角が丸みのもの又は長方形を形成する辺部が湾曲するものであることを特徴とする前記密封容器を提供するものである。
【００１２】
また、本考案は、該レバーを起立させた状態において、該起立部の先端と該上蓋の底面とは、２ｍｍ〜６ｍｍ離間していることを特徴とする前記密封容器を提供するものである。
【００１３】
また、本考案は、該レバーを倒伏させた状態において、該起立部の先端と該上蓋の底面とは、０．１〜０．８ｍｍ離間していることを特徴とする前記密封容器を提供するものである。
【考案の効果】
【００１４】
本考案によれば、容器本体に蓋部を装着する際、容器本体の軸芯と蓋部の軸芯が上下方向において偏った状態（特に中蓋の長手方向における傾斜姿勢となって現れる。）で装着が行われても、中蓋のズレ防止用の起立部が上蓋の裏面部に当接して、それ以上の偏りを防止するため、中蓋は、容器本体に対して均等装着の許容範囲内となり、ゴムシールと容器本体の内壁は、偏ることなく強いシールとなる。
【図面の簡単な説明】
【００１５】
【図１】本考案の実施の形態における密封容器の分解斜視図である。
【図２】図１の密封容器の上蓋の一部を切り欠いた斜視図である。
【図３】図１の密封容器の上蓋の裏面から見た他の斜視図である。
【図４】図１の密封容器の中蓋の斜視図である。
【図５】図１の密封容器のゴムシールの斜視図である。
【図６】図５のゴムシールの上下反転した斜視図である。
【図７】図１の密封容器のレバーの斜視図である。
【図８】図７のレバーの上下反転した斜視図である。
【図９】図１の密封容器において、中蓋を上蓋に挿入する方法を説明する図である。
【図１０】図１の密封容器において、中蓋を上蓋に挿入した状態の断面図である。
【図１１】図１０の状態の中蓋にレバーを装着する方法を説明する図である。
【図１２】図１０の状態の中蓋にレバーが装着された状態の断面図である。
【図１３】図１０の状態の中蓋にゴムシールを装着する方法を説明する図である。
【図１４】図１３の状態の中蓋にゴムシールが装着された状態の斜視図である。
【図１５】図１４の断面図である。
【図１６】（Ａ）は容器本体に蓋部を装着する前の分解斜視図であり、（Ｂ）は（Ａ）の断面図である。
【図１７】（Ａ）は容器本体にレバーが起立した状態の蓋部を装着した際の斜視図であり、（Ｂ）は（Ａ）の断面図である。
【図１８】図１７に続く使用工程であり、（Ａ）は密封容器の斜視図であり、（Ｂ）は（Ａ）の断面図である。
【図１９】起立部のない中蓋を使用した密封容器の断面図である
【考案を実施するための形態】
【００１６】
次に、本考案の実施の形態における密封容器を図１〜図１８を参照して説明する。図２は、貫通穴近傍の構造が分かりやすいように、一部を切り欠いて示した。密封容器１０は、例えば、一般家庭の台所において使用され、平面視が略長方形の上部開口を有する容器本体１と、容器本体１の上部開口に装着される蓋部２を備えるもので、蓋部２のゴムシール６が容器の内壁に強く当接して、内容物の長期保存に適するものである。平面視が略長方形の上部開口を有する容器本体１であれば、複数個を隣接して収納するのに便利である。
【００１７】
密封容器１０において、蓋部２は、レバー５と、上蓋４と、中蓋３と、ゴムシール６とを備える。レバー５、上蓋４、中蓋３及びゴムシール６はそれぞれ別部材であり、組み込まれて蓋部２を構成する。密封容器１０の上部開口の略長方形とは、長方形の角が丸みのもの又は長方形を形成する辺部が湾曲するものなどを含む意味である。
【００１８】
レバー５は、板状のレバー本体５１３と、レバー側軸支部５１を有する。容器内の内容物を長期保存する場合、レバー５は倒伏状態にあり、内容物を取り出す際、レバー５は起される。レバー側軸支部５１は、内面が対峙する一対の略板状体５１１、５１１を有する基枠体であり、一対の略板状体５１１、５１１の裏面には、中蓋側軸支部３４の軸突起３４、３４が嵌る軸穴５１７を有している。レバー５の起立状態における軸穴５１７の中心から上下方向における端までの長さｌ１は、レバー５の倒伏状態における軸穴５１７の中心から上下方向における端までの長さｌ２より小である。また、レバー５は起立状態において、端部５１６は、レバー端当接面４３３に当接し、レバー５は倒伏状態において、端部５１５は、レバー端当接面４３３に当接する。これにより、レバー５は、倒伏状態から起立させることで、中蓋３を上蓋４側に引き上げることになる。
【００１９】
上蓋４は、容器本体１の上端縁部１１と当接する当接面部４４５を裏面に有する上方蓋部４１と、当接面部４４５より内側で且つ上方蓋部４１の裏面４４６から下方に延出する環状の内側板４２と、レバー側軸支部５１と軸嵌合する中蓋側軸支部３４が通る貫通穴４４４とを有する。当接面部４４５は、容器本体１の上端縁部１１と当接するため、容器本体１は、レバー５を起こす際、下方への不勢力を受け、支持するものとなる。上方蓋部４１の平面視の外周形状は、容器本体の平面視の外周形状と同様であり、内側板４２の平面視の外周形状は、容器本体の平面視の外周形状と比較して小さい相似形状である。
【００２０】
内側板４２は、平面視で中蓋３を囲む大きさを有し、レバー５が起立時、その先端はゴムシール６を押しておらず、レバー５が倒伏時、その先端はゴムシール６の傾斜部６３を押す。このため、ゴムシール５は拡径して、容器の内壁１２を強く押すことになる（図１７及び図１８参照）。
【００２１】
貫通穴４４４は、レバー側軸支部５１と軸嵌合する中蓋側軸支部３４が通る穴である。また、貫通穴４４４を含めて上蓋４１の上面には、倒伏状態のレバー５を収納するレバー収納部４３を有する。貫通穴４４４の一方の側端には、レバー側軸支部５１の位置をガイドする支持側板４３２、４３２が付設されている。支持側板４３２、４３２は、一対の略板状体５１１、５１１の内側に位置し、レバー収納部４３の内壁と協働して隙間を形成し、レバー５の回動の際の横ブレを防止する。また、支持側板４３２、４３２から上蓋４の端部にかけて、倒伏状態のレバー本体５１３が収納するレバー本体当接面４３１が形成されている。これにより、レバー５の倒伏状態において、上蓋４の上面は突出部がなく、面一となる。
【００２２】
また、上蓋４の中央貫通穴４４４の周り、本例では短手方向の両側に、レバー５の基枠体５１の先端が当接するレバー端当接面４３３を有する。レバー端当接面４３３は上蓋４に形成されるため、容器本体１に設置された状態で下方へは移動しない。このため、起立状態のレバー５を倒す際、レバー５の基枠体５１の先端がレバー端当接面４３３を強く下方へ押し込む際、その押し込み力を支持する支持部になる。
【００２３】
中蓋３は、表面の中央で起立する一対の中蓋側軸支部３１と、ゴムシール６が嵌る側面溝３２と、一対の中蓋側軸支部３１の長手方向における両側において表面から上方に起立するズレ防止用の起立部３３、３３を有する。一対の中蓋側軸支部３１は、略板状の本体の先端側の両外側面に、外側に突出する軸３４を有する。軸３４は、レバー側軸支部５１の軸穴５１７と嵌合する。起立部３３、３３は、本例では、短手方向に延びる板状体であるが、これに限定されず、１つまたは複数の突起であってもよく、また、一対の中蓋側軸支部３１を囲む環状の壁体であってもよい。
【００２４】
密封容器１０は、長手方向が存在するゴムシール６を有する。このため、蓋部２を容器本体１に装着する際、長手方向にズレが生じ易い。このため、密封容器１０は、例え、長手方向のズレが生じても、上蓋４１と中蓋３のズレを可能な限り小さくするものである。従って、容器本体１に蓋部２を装着し、レバー５を起立させた状態において、起立部３３の先端（上端）と上蓋４の底面４４６とは少し離間しており、レバー６を倒した密封状態において、起立部３３の先端と上蓋４の底面とは当接状態又は極僅かの隙間を有する非接触状態である。また、具体的には、レバー５を起立させた状態において、起立部３３の先端と上蓋４の底面４４６とは、２ｍｍ〜６ｍｍ離間しており、レバー６を倒伏させた状態において、起立部３３の先端と上蓋４の底面４４６とは、０．１〜０．８ｍｍ、特に０．１〜０．４ｍｍ離間しているものが好ましい。側面溝３２は、環状のゴムシール６が嵌る溝であり、中蓋３の側面で且つ周方向に形成される、本例では矩形断面の溝である。
【００２５】
ゴムシール６は、環状体であって、内側の装着部６１と、装着部６１の外周端より斜め上方に傾斜状に延びる傾斜部６２とを有する。また、傾斜部６２の先端は水平端６３となっている。ゴムシール６は、レバー５を倒すことで、中蓋３が上蓋側に引き上げられ、内側板４２の先端がゴムシール６の先端近傍を下方側へ押し込み、該押し込みにより拡径する。ゴムシール６の拡径とは、ゴムシール６の傾斜部６２が下方に押されるため、傾斜部６２が下方に撓み、その先端が外側に延びることを言う。なお、ゴムシール６の外形寸法は、容器本体１の内形状とほぼ同じである。そして、押し込みによる拡径で、容器内壁１２とのシールが強いものとなる。
【００２６】
次に、密封容器１０の組立方法を図９〜図１５を参照して説明する。図９に示すように、上蓋４の下方に中蓋３を位置させ、中蓋３の一対の中蓋側軸支部３１を、上蓋４の貫通穴４４４に通す（図１０）。なお、図１０の状態における上蓋４と中蓋３は、係止や係合関係にはなく、手で添える状態で保持することになる。次いで、レバー５を上蓋４の上方に位置させ、レバー５の基枠体５１の軸穴５１７と中蓋３の一対の中蓋側軸支部３１の軸突起３４を係止させる。これにより、レバー５は、中蓋３の一対の中蓋側軸支部３１に対して、回動自在となる。なお、図１２に示すように、レバー５が倒伏の状態において、レバー５の基枠体５１の端部５１５は、上蓋４のレバー端当接面４３３に当接している。
【００２７】
次いで、ゴムシール６を、中蓋３の下方に位置させ、中蓋３の側面溝３２に嵌め込む（図１４及び図１５）。この状態において、ゴムシール６の先端は、中蓋３の上面３５よりやや上側に位置することになる。また、ゴムシール６の傾斜部６２であって、中蓋３の先端が当たる位置も、中蓋３の上面３５よりやや上側に位置することになる。これにより、中蓋３が引き上げられると、内側板４２の先端がゴムシール６の傾斜部６２を押し込むことになる。このように、ゴムシール６を装着することで、図１４及び図１５に示す蓋部２が得られる。なお、蓋部２の形成方法としては、上記以外に、例えば、中蓋３にゴムシール６を装着した後、上蓋４と中蓋３を組み付け、その後、レバー５を取り付ける方法であってもよい。
【００２８】
次に、密封容器１０の組立方法を図１６〜図１８を参照して説明する。すなわち、図１４及び図１５に示す蓋部２を容器本体１に装着する。この際、レバー５は起立させた状態とする。レバー５が起立状態の場合、内側板４２の先端は、ゴムシール６を押すことなく、近接または当接している。このため、ゴムシール６が装着された中蓋３は、容器本体１内に円滑に挿入することができる。また、レバー５の基枠体５１の端部５１６は、レバー端当接面４３３に当接している。この場合、レバー５の基枠体５１の軸中心から上下方向における端までの長さはｌ１である。また、上蓋４の当接面部４４５は、容器本体１の上端縁部１１に当接している。このため、蓋部２は、容器本体１に載せた状態であり、簡単に取り外しができる。なお、中蓋３の起立部３３の先端と上蓋４の裏面とは少しの隙間を保持して離れている。このため、中蓋３の引き上げの障害とならずに、ズレを防止できる。
【００２９】
次に、レバー５を倒伏させる。レバー５の回動により、レバー５の基枠体５１の端部５１５が、上蓋４のレバー端当接面４３３に当接することになる。この際、レバー５の基枠体５１の軸中心から上下方向における端までの長さはｌ１より大の長さｌ２である。これにより、レバー５は上蓋４を押し下げることになるが、上蓋４は、容器本体１に載った状態であるため、下方へ移動はできず、結果、中蓋３を引き上げることになる。これにより、上蓋４の内側板４２の先端が、ゴムシール６の傾斜部６２を押し込むことになる。ゴムシール６の傾斜部６２が下方に押されると、傾斜部６２が下方に撓み、その先端が外側に延びて、ゴムシール６と容器本体１の内壁１２とのシール性が向上する。このため、容器内と外部（室内）の遮断が強いものとなり、内容物の長期保存が可能となる。なお、中蓋３の起立部３３の先端と上蓋４の裏面とは極小さい隙間を保持しているか、あるいは僅かに当たっている。これにより、起立部３３が中蓋３の上方移動に影響を与えることはない。
【００３０】
密封容器１０は平面視が略長方形である。このため、例えば、容器本体１に蓋部２を装着する際、図１９に示すような、中蓋３が長手方向に傾斜姿勢となるズレが生じることがある。本例の密封容器１０は、中蓋の上面に起立部３３を有するため、このようなズレが生じた場合、起立部３３の先端が上蓋４の裏面に当たるため、それ以上のズレが生じることはない。すなわち、密封容器１０は、シール性に悪影響しない多少のズレは、許容するものの、シール性に悪影響するズレを防止することができる。
【００３１】
例えば、中蓋３００に起立部３３を形成しない図１９に示す密封容器１００において、容器本体１に蓋部２００を装着する際、中蓋３００に長手方向に傾斜姿勢となるズレが生じた場合、大きなズレが生じる。この状態で、レバー５００が倒されると、ゴムシール６００の先端は、容器本体１の内壁に均等に当たることができず、強いシールは望めない。
【００３２】
次に、容器本体１から内容物を取り出す際、倒伏状態のレバー５を起立させる。レバー５の回動により、レバー５の基枠体５１の端部５１２が、上蓋４のレバー端当接面４３３に当接することになる。この際、レバー５の基枠体５１の軸中心から上下方向における端までの長さはｌ２より小の長さｌ１である。これにより、中蓋３は引き下げられる。これにより、上蓋４の内側板４２の先端が、ゴムシール６の傾斜部６２から離れることになる。ゴムシール６が元の形状に復元すると、ゴムシール６と容器本体１の内壁１２との密着は弱いものとなり、容器本体１から蓋部２を円滑に取り外すことができる。
【００３３】
本考案の密封容器は、上記実施の形態例に限定されず、種々の変形を採ることができる。例えば、上蓋４の裏面形状は、図３の裏面形状に限定されず、例えば、当接面部４４５を残して、その内側が深く切り込まれていてもよい。この場合、上蓋の外周部は、当接面部４４５の厚さを有する環状の側板（環状の内側板と略相似形状）形状となる。また、内側板４２の内側の裏面形状も平坦な形状に限定されず、縦の補強リブまたは横の補強リブによるリブ構造であってもよい。また、一対の略板状体５１１、５１１の裏面に形成される軸穴５１７は、軸突起であってもよい。この場合、中蓋側軸支部３４には、軸穴を形成することになる。
【産業上の利用可能性】
【００３４】
平面視が略長方形の密封容器の場合、容器本体に蓋部を装着する際、中蓋が、長手方向において傾斜姿勢となるズレが生じることがあるが、本考案の密封容器は、これを防止できるため、レバーを倒伏させる密封操作において、常に、安定した強いシールを得ることができる。従って、ゴムシールは片当たりせず、長持ちする。また、密封容器は、家庭でも使用しやすくなる。
【符号の説明】
【００３５】
１    容器本体
２    蓋部
３    中蓋
４    上蓋
５    レバー
６    ゴムシール
１０  密封容器
３４  中蓋側軸支部
５１  レバー側軸支部
【図１】
0003208761.tif 000003
【図２】
0003208761.tif 000004
【図３】
0003208761.tif 000005
【図４】
0003208761.tif 000006
【図５】
0003208761.tif 000007
【図６】
0003208761.tif 000008
【図７】
0003208761.tif 000009
【図８】
0003208761.tif 000010
【図９】
0003208761.tif 000011
【図１０】
0003208761.tif 000012
【図１１】
0003208761.tif 000013
【図１２】
0003208761.tif 000014
【図１３】
0003208761.tif 000015
【図１４】
0003208761.tif 000016
【図１５】
0003208761.tif 000017
【図１６】
0003208761.tif 000018
【図１７】
0003208761.tif 000019
【図１８】
0003208761.tif 000020
【図１９】
0003208761.tif 000021